(57)【要約】【課題】  本発明は、位置決め孔の径寸法より大きく形成した位置決めボスに割り溝を形成して、位置決め孔、あるいは位置決めボスの寸法バラツキを窮してファン装置を確実に位置決めして固定することができるファン固定構造およびこの組立方法を提供すること。【解決手段】  本発明のファン固定構造のケース２には、複数の位置決め孔６が形成され、ホルダ８には、複数の位置決めボス１５が立設されて位置決め孔６が嵌合可能になっていると共に、形成したフック部１４によりファン装置１がスナップ係止可能になっており、位置決めボス１５には、位置決め孔６の寸法Ａの孔径寸法より外径寸法が大きな寸法Ｂの弾性嵌合部１６が形成され、この弾性嵌合部１６には、位置決めボス１５の立設方向に所定の深さ寸法と幅寸法Ｃの割り溝１７が形成されている。【選択図】        図１
2006049672.tif 000002
【特許請求の範囲】
【請求項１】
ケース内部にファンを収納したファン装置と、このファン装置を固定可能なホルダとを備え、前記ケースには、複数の位置決め孔が形成され、前記ホルダには、複数の位置決めボスが立設されて前記位置決め孔が嵌合可能になっていると共に、形成したフック部によって前記ファン装置がスナップ係止可能になっており、前記位置決めボスには、前記位置決め孔の孔径寸法より外径寸法が大きな弾性嵌合部が形成され、前記弾性嵌合部には、前記位置決めボスの立設方向に所定の深さ寸法と幅寸法の割り溝が形成されていることを特徴とするファン固定構造。
【請求項２】
前記位置決めボスは、先端部に前記弾性嵌合部が形成されると共に、前記ホルダから立設する根元部分が、前記弾性嵌合部の外径寸法より太径に形成されていることを特徴とする請求項１記載のファン固定構造。
【請求項３】
前記ホルダには、前記ファン装置を位置決めして固定可能なファン固定部を有し、前記位置決めボスは、前記ファン固定部の少なくとも２箇所に立設されていることを特徴とする請求項１、または２記載のファン固定構造。
【請求項４】
前記ファン装置は、前記ケースの外形が矩形状に形成され、前記位置決め孔は、前記矩形状のそれぞれのコーナ部に形成され、前記位置決めボスは、いずれか一方の対角線上に位置する２箇所の前記コーナ部に形成した前記位置決め孔が嵌合可能な前記ホルダ側の前記ファン固定部の少なくとも２箇所に形成されていることを特徴とする請求項３記載のファン固定構造。
【請求項５】
ファン装置を位置決めして固定可能なホルダには、ファン装置に形成した位置決め孔が嵌合可能な位置決めボスが立設形成され、この位置決めボスには、立設方向に割り溝が形成された先端部に、前記位置決め孔の孔径寸法より外径寸法が大きい弾性嵌合部が形成され、前記位置決め孔を前記位置決めボスに嵌合させると、前記割り溝の幅寸法がマイナスする方向に弾性変形して、前記弾性嵌合部が前記位置決め孔の内面に弾接して前記ファン装置が位置決めされると共に、前記ホルダに形成したフック部が前記ファン装置をスナップ係止して、位置決めした前記ファン装置を前記ホルダに固定することができることを特徴とするファン固定構造の組立方法。
【発明の詳細な説明】
【技術分野】
【０００１】
本発明はファン固定構造に係わり、特にネジ締め等を行わなくても固定が可能なファン固定構造に関するものである。
【背景技術】
【０００２】
従来のファン固定構造を、特許文献１に基づいて説明すると、図７に示すように、ファン装置３０は、下部に形成した中空の固定板３１と、この固定板３１の中空部に収納するファン３２と、固定板３１から上方に延びて内部のファン３２を回転自在に支持可能な複数の支柱３３とベース３４とが形成されている。
また、固定板の４つのコーナ部には、それぞれ位置決め孔３５が貫通形成されている。
【０００３】
また、ファン装置３０を固定するファンシート３６は、上板３７と側板３８とで略Ｕ字状に形成され、上板３７には、中央に円孔３９と、この円孔３９の外側に上向きのストッパ板４０とが形成されている。
また、上板３７は、４箇所のコーナ部に立設した円柱状の位置決めボス４１と、図示左右の位置決めボス４１の外側近傍に立設した４本のフック部４２とが形成されている。
このような構成のファンシート３６は、マザーボード（図示せず）に取り付けされる底座４３の内部にヒートシンク４４が収容され、このヒートシンク４４を覆うように底座４３に取り付けられている。
【０００４】
前記底座４３に取り付けたファンシート３６にファン装置３０を固定する手順は、まず、ファンシート３６の円柱状の位置決めボス４１に位置決め孔３５を挿入して嵌合させる。同時にフック部４２が固定板３１をスナップ係止されて、ファンシート３６にファン装置３０が固定されている。
【特許文献１】実用新案登録第３０９５４３１号公報
【特許文献２】実開平  ５−  ８３６３５号公報
【特許文献３】特開平  ８−２２８０８６号公報
【発明の開示】
【発明が解決しようとする課題】
【０００５】
しかし、前述したような従来のファン固定構造は、ファン装置３０の固定板３１およびファンシート３６が樹脂材料を成形加工して形成されいるので、位置決め孔３５と位置決めボス４１の径寸法およびピッチ寸法がばらついて、位置決めボス４１に位置決め孔３５を確実に嵌合させることができなくなるおそれがあった。その対策として、位置決めボス４１の外径寸法を位置決め孔３５の孔径寸法より小さくして、それぞれの寸法バラツキを吸収して確実に嵌合させることができるが、このような対策だと、位置決めボス４１に嵌合させた位置決め孔３５にガタ付きが発生し、ファン３２を回転駆動すると、ファン装置３０が振動して異音が発生するおそれがあった。
【０００６】
本発明は、前述したような課題を解決するために、位置決め孔の径寸法より大きく形成した位置決めボスに割り溝を形成して、位置決め孔、あるいは位置決めボスの寸法バラツキを窮してファン装置を確実に位置決めして固定することができるファン固定構造およびこの組立方法を提供することを目的とする。
【課題を解決するための手段】
【０００７】
上記課題を解決するための第１の解決手段として本発明のファン固定構造は、ケース内部にファンを収納したファン装置と、このファン装置を固定可能なホルダとを備え、前記ケースには、複数の位置決め孔が形成され、前記ホルダには、複数の位置決めボスが立設されて前記位置決め孔が嵌合可能になっていると共に、形成したフック部によって前記ファン装置がスナップ係止可能になっており、前記位置決めボスには、前記位置決め孔の孔径寸法より外径寸法が大きな弾性嵌合部が形成され、前記弾性嵌合部には、前記位置決めボスの立設方向に所定の深さ寸法と幅寸法の割り溝が形成されていることを特徴とする。
また、上記課題を解決するための第２の解決手段として、前記位置決めボスは、先端部に前記弾性嵌合部が形成されると共に、前記ホルダから立設する根元部分が、前記弾性嵌合部の外径寸法より太径に形成されていることを特徴とする。
【０００８】
また、上記課題を解決するための第３の解決手段として、前記ホルダには、前記ファン装置を位置決めして固定可能なファン固定部を有し、前記位置決めボスは、前記ファン固定部の少なくとも２箇所に立設されていることを特徴とする。
また、上記課題を解決するための第４の解決手段として、前記ファン装置は、前記ケースの外形が矩形状に形成され、前記位置決め孔は、前記矩形状のそれぞれのコーナ部に形成され、前記位置決めボスは、いずれか一方の対角線上に位置する２箇所の前記コーナ部に形成した前記位置決め孔が嵌合可能な前記ホルダ側の前記ファン固定部の少なくとも２箇所に形成されていることを特徴とする。
【０００９】
また、上記課題を解決するための第５の解決手段として本発明のファン構造の組立方法は、ファン装置を位置決めして固定可能なホルダには、ファン装置に形成した位置決め孔が嵌合可能な位置決めボスが立設形成され、この位置決めボスには、立設方向に割り溝が形成された先端部に、前記位置決め孔の孔径寸法より外径寸法が大きい弾性嵌合部が形成され、前記位置決め孔を前記位置決めボスに嵌合させると、前記割り溝の幅寸法がマイナスする方向に弾性変形して、前記弾性嵌合部が前記位置決め孔の内面に弾接して前記ファン装置が位置決めされると共に、前記ホルダに形成したフック部が前記ファン装置をスナップ係止して、位置決めした前記ファン装置を前記ホルダに固定することができることを特徴とする。
【発明の効果】
【００１０】
本発明に係わる位置決めボスには、位置決め孔の孔径寸法より外径寸法が大きな弾性嵌合部が形成され、前記弾性嵌合部には、前記位置決めボスの立設方向に所定の深さ寸法と幅寸法の割り溝が形成されているので、位置決め孔間のピッチ寸法、あるいは位置決めボス間のピッチ寸法にバラツキがあったとしても、弾性嵌合部が割り溝によって弾性変形して、寸法バラツキを吸収することができる。
そのために、ファン装置をホルダに確実に位置決めして固定可能なファン固定構造を提供できる。
また、位置決めボスは、先端部に弾性嵌合部が形成されると共に、ホルダから立設する根元部分が、弾性嵌合部の外径寸法より太径に形成されているので、弾性嵌合部を確実に弾性変形させて位置決め孔に嵌合させることができる。
また、位置決めボスの強度をアップさせることができ、ファン装置を確実に位置決めすることができる。
【００１１】
また、ホルダには、ファン装置を位置決めして固定可能なファン固定部を有し、位置決めボスは、ファン固定部の少なくとも２箇所に立設されているので、ファン装置を確実に位置決めすることができる。
また、位置決めボスは、いずれか一方の対角線上に位置する２箇所のコーナ部に形成した位置決め孔が嵌合可能なホルダ側のファン固定部の少なくとも２箇所に形成されているので、更に確実にファン装置を確実に位置決めすることができる。
【００１２】
また、本発明のファン固定構造の組立方法は、位置決め孔を位置決めボスに嵌合させると、割り溝の幅寸法がマイナスする方向に弾性変形し、弾性嵌合部が位置決め孔の内面に弾接してファン装置が位置決めされると共に、ホルダに形成したフック部がファン装置をスナップ係止して、位置決めしたファン装置をホルダに固定することができるので、位置決め孔を位置決めボスに嵌合させるだけで、ファン装置を位置決めしてホルダに確実に固定することができ、組立性に優れている。
【発明を実施するための最良の形態】
【００１３】
以下、本発明に関するファン固定構造の実施の形態を図１〜図６に基づいて説明する。図１は本発明の実施の形態を説明する分解斜視図であり、図２は図１の平面図であり、図３は図２の３−３断面図であり、図４は本発明に係わる位置決め孔の要部断面図であり、図５は本発明に係わる位置決めボス部の要部断面図であり、図６は図２の６−６断面図である。
【００１４】
まず、本発明のファン固定構造は、図１に示すように、ファン装置１が配設され、このファン装置１は、外形が略矩形状のケース２を有し、このケース２内部にファン（図示せずが収納されている。
前記ケース２は、外周部に形成した側壁３によって内部に円形状の空洞部４が形成されると共に、図示手前側の一方の面側にベース部５が形成され、このベース部５は、３方向に延びる桟部５ａによって側壁３に一体化されている。
【００１５】
前記ケース２の空洞部４が形成された他方の面側は、開放されて後述するホルダ８の通風孔１０と対向するように取り付けられようになっている。
そして、ベース部５に軸支されたファンが、空洞部４内を回転自在になっている。
また、側壁３の４つのコーナ部には、図４に示すような、孔径が寸法Ａの位置決め孔６がそれぞれ貫通形成されている。
前記位置決め孔６の図示下部には、寸法Ａの位置決め孔６の径寸法より太径の逃げ孔７が形成されて、位置決め孔６を形成した部分が２段状になっている。
【００１６】
また、ファン装置１を固定可能なホルダ８は、樹脂材料からなり、コンピュータ等の筐体内部に取付可能になってなっている。前記ホルダー８には、例えば横長状の基部９が形成され、この横長状の基部９の略中央部に、ファン装置１を固定可能なファン固定部１０が形成されている。
前記ファン固定部１０の基部８には、略小判形状の通風孔１１が形成され、この通風孔１１の図示左右の長手方向の外側に、ファン固定部１０を挟んで互いに対向するガイド壁１２、１３が形成されている。
【００１７】
また、ガイド壁１２、１３には、ファン装置１をホルダ８にスナップ係止可能な鈎状のフック部１４、１４がそれぞれ形成されている。
また、略矩形状のファン固定部１０の基部９には、ファン装置１のいずれか一方の対角線上に位置する２箇所のコーナ部に形成した位置決め孔６が嵌合可能な少なくとも２箇所に、位置決めボス１５が所定高さで立設されている。
前記位置決めボス１５は、図５に示すように、先端部にファン装置１の位置決め孔６の寸法Ａの孔径より外径が大きな寸法Ｂの弾性嵌合部１６が形成されている。
【００１８】
また、弾性嵌合部１６には、位置決めボス１５の立設方向（図示上下方向）に所定の深さ寸法と幅寸法Ｃの割り溝１７が形成されている。
そのために、ファン装置１の位置決め孔６を弾性嵌合部１６に嵌合させると、弾性嵌合部１６は、図６に示すように弾性変形して割り溝の幅寸法Ｃが寸法Ｃ’にマイナスして、位置決め孔６の内面に弾接する。
そのために、位置決めボス１５によって、ファン装置１がホルダ８のファン固定部１０に位置決めされるようになっている。
即ち、本発明のファン固定構造は、弾性嵌合部１６が割り溝１７によって弾性変形するので、位置決め孔６間のピッチ寸法、あるいは位置決めボス１５間のピッチ寸法にバラツキがあったとしても、この寸法バラツキを吸収することができ、ファン装置１をホルダ８に確実に位置決めして固定することができる。
【００１９】
また、位置決めボス１５は、ファン固定部１０から立設する根元部分１８が、寸法Ｂの弾性嵌合部１６より太径に形成されて、位置決めボス１５が２段状になっている。そのために、根元部分が太くなった位置決めボス１５は、強度アップされて、ファン装置１を確実に位置決めすることができるようになっている。
前記根元部分１８の外径寸法は、ファン装置１に形成した逃げ孔７の内径寸法より小さく形成されている。
【００２０】
また、ホルダ８の基部９には、第１、第２取付脚１９、２０が形成され、ファン装置１を位置決めして固定したホルダ８が、この第１、第２取付脚１９、２０によって、例えばコンピュータ（図示せず）等の情報機器の筐体側に取り付けられている。
そして、情報機器内部に収納している電子機器等の発熱により、筐体内部が高温となった場合に、ファン装置１のファンが駆動されて、内部の高温になった空気と、外部の冷たい空気とを循環するようになっている。このことにより、筐体内部を適正な温度に冷却して、電子機器に異常が発生しないようになっている。
【００２１】
このような構成の本発明のファン固定構造の組立方法は、まず、ファン装置１をホルダ８のファン固定部１０と対向させた状態でファン固定部１０に近づけると、ケース２の側壁３がフック部１４を外側に押し広げると共に、位置決め孔６が少なくとも２箇所の位置決めボス１５に嵌合する。
すると、図６に示すように、割り溝１７の幅寸法Ｃがマイナスする方向に弾性変形して寸法Ｃ’となり、弾性嵌合部１６が位置決め孔６の内面に弾設する。
同時に、ケース２の側壁３が外側に押し広げていたフック部１４が、ファン装置１の側壁３上面にスナップ係合する。
このことにより、ファン装置１がホルダ８に位置決めされてスナップ係止されて、ファン装置１がホルダ８に固定される。
【００２２】
尚、本発明の実施の形態の説明では、位置決めボス１５を少なくとも２箇所に形成したもので説明したが、ファン装置１に形成した４個の位置決め孔６に対応して、４箇所に形成しても良い。
また、位置決めボス１５は、対角線方向に対向する少なくとも２箇所のコーナ部に形成したもので説明したが、側壁３と平行方向の少なくとも２箇所のコーナ部に形成しても良い。
また、位置決めボス１５は、根元部分１８を弾性嵌合部１６より太径で説明したが、弾性嵌合部１６と同じ径寸法でも良い。
【図面の簡単な説明】
【００２３】
【図１】本発明の実施の形態を説明する分解斜視図である。
【図２】図１の平面図である。
【図３】図２の３−３断面図である。
【図４】本発明に係わる位置決め孔の要部断面図である。
【図５】本発明に係わる位置決めボス部の要部断面図である。
【図６】図２の６−６断面図である。
【図７】従来のファン固定構造を説明する分解斜視図である。
【符号の説明】
【００２４】
１  ファン装置
２  ケース  
３  側壁
４  空洞部
５  ベース部
５ａ  桟部
６  位置決め孔
７  逃げ孔
８  ホルダ
９  基部
１０  ファン固定部
１１  通風孔
１２、１３  ガイド壁
１４  フック部
１５  位置決めボス
１６  弾性嵌合部
１７  割り溝
１８  根元部分
【図１】
2006049672.tif 000003
【図２】
2006049672.tif 000004
【図３】
2006049672.tif 000005
【図４】
2006049672.tif 000006
【図５】
2006049672.tif 000007
【図６】
2006049672.tif 000008
【図７】
2006049672.tif 000009